【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
表示画面上に、ユーザの視点を中心とした３次元仮想空間を表示させるとともに、当該３次元仮想空間内に、複数の選択候補からなる少なくとも一以上の入力一覧を表示させる表示制御手段と、
自装置を扱うユーザの動作状態を検知する検知手段と、
前記検知手段によって検知されたユーザの動作状態に応じて、前記入力一覧上の一の前記選択候補を照準する照準手段と、
ユーザの操作に基づいて、前記照準手段によって照準されている前記選択候補を入力情報として確定させる制御手段と、
を備えることを特徴とする携帯用コンピュータ装置。
【請求項２】
前記表示制御手段は、前記表示画面上に、前記選択候補として文字を表示させるとともに、確定された文字を表示させる文字編集表示と、当該文字編集表示に表示させた文字から推測できる一または複数の文字列を表示する前記選択候補としての候補表示とをおこない、
前記照準手段は、前記検知手段によって検知されたユーザの動作状態に応じて、一の前記候補表示を照準し、
前記制御手段は、ユーザの操作に基づいて、前記照準手段によって照準されている前記候補表示を入力情報として確定させることを特徴とする請求項１に記載の携帯用コンピュータ装置。
【請求項３】
前記検知手段は、自装置内に設けられ、自装置の傾倒状態を検知することによりユーザの動作状態を検知する３軸加速度センサからなり、
前記照準手段は、前記検知手段によって検知された自装置の傾倒状態に応じて、前記入力一覧上の一の前記選択候補を照準することを特徴とする請求項１または２に記載の携帯用コンピュータ装置。
【請求項４】
ユーザからの操作入力を受け付ける第１受付手段と、前記第１受付手段とは異なる第２受付手段と、をさらに備え、
前記照準手段は、前記第２受付手段によって受け付けられた操作入力に基づいて、前記入力一覧内の複数の選択候補が表示されている表示領域を拡大または縮小させて一の前記選択候補を照準し、
前記制御手段は、前記照準手段によって前記選択候補が照準された状態で、前記第１受付手段によって操作入力が受け付けられた場合に、照準されている前記選択候補を入力情報として確定させることを特徴とする請求項１〜３のいずれか一つに記載の携帯用コンピュータ装置。
【請求項５】
自装置を扱うユーザの動作状態を検知する検知部を備えた携帯用コンピュータ装置を、
表示画面上に、ユーザの視点を中心とした３次元仮想空間を表示させるとともに、当該３次元仮想空間内に、複数の選択候補からなる少なくとも一以上の入力一覧を表示させる表示制御手段、
前記検知部によって検知されたユーザの動作状態に応じて、前記入力一覧上の一の前記選択候補を照準する照準手段、
ユーザの操作に基づいて、前記照準手段によって照準されている前記選択候補を入力情報として確定させる制御手段、
として機能させることを特徴とする携帯用コンピュータプログラム。
【手続補正２】
【補正対象書類名】明細書
【補正対象項目名】発明の名称
【補正方法】変更
【補正の内容】
【発明の名称】携帯用コンピュータ装置および携帯用コンピュータプログラム
【手続補正３】
【補正対象書類名】明細書
【補正対象項目名】０００１
【補正方法】変更
【補正の内容】
【０００１】
この発明は、表示画面上に表示された文字などの選択対象物に対し、ユーザからの入力を受け付ける、携帯用コンピュータ装置および携帯用コンピュータプログラムに関する。
【手続補正４】
【補正対象書類名】明細書
【補正対象項目名】０００７
【補正方法】変更
【補正の内容】
【０００７】
上述した課題を解決し、目的を達成するため、この発明にかかる携帯用コンピュータ装置は、表示画面上に、ユーザの視点を中心とした３次元仮想空間を表示させるとともに、当該３次元仮想空間内に、複数の選択候補からなる少なくとも一以上の入力一覧を表示させる表示制御手段と、自装置を扱うユーザの動作状態を検知する検知手段と、前記検知手段によって検知されたユーザの動作状態に応じて、前記入力一覧上の一の前記選択候補を照準する照準手段と、ユーザの操作に基づいて、前記照準手段によって照準されている前記選択候補を入力情報として確定させる制御手段と、を備えることを特徴とする。
【手続補正５】
【補正対象書類名】明細書
【補正対象項目名】０００８
【補正方法】変更
【補正の内容】
【０００８】
また、上記発明において、前記表示制御手段は、前記表示画面上に、前記選択候補として文字を表示させるとともに、確定された文字を表示させる文字編集表示と、当該文字編集表示に表示させた文字から推測できる一または複数の文字列を表示する前記選択候補としての候補表示とをおこない、前記照準手段は、前記検知手段によって検知されたユーザの動作状態に応じて、一の前記候補表示を照準し、前記制御手段は、ユーザの操作に基づいて、前記照準手段によって照準されている前記候補表示を入力情報として確定させることとしてもよい。
【手続補正６】
【補正対象書類名】明細書
【補正対象項目名】０００９
【補正方法】変更
【補正の内容】
【０００９】
また、上記発明において、前記検知手段は、自装置内に設けられ、自装置の傾倒状態を検知することによりユーザの動作状態を検知する３軸加速度センサからなり、前記照準手段は、前記検知手段によって検知された自装置の傾倒状態に応じて、前記入力一覧上の一の前記選択候補を照準することとしてもよい。
【手続補正７】
【補正対象書類名】明細書
【補正対象項目名】００１０
【補正方法】変更
【補正の内容】
【００１０】
また、上記発明において、ユーザからの操作入力を受け付ける第１受付手段と、前記第１受付手段とは異なる第２受付手段と、をさらに備え、前記照準手段は、前記第２受付手段によって受け付けられた操作入力に基づいて、前記入力一覧内の複数の選択候補が表示されている表示領域を拡大または縮小させて一の前記選択候補を照準し、前記制御手段は、前記照準手段によって前記選択候補が照準された状態で、前記第１受付手段によって操作入力が受け付けられた場合に、照準されている前記選択候補を入力情報として確定させることとしてもよい。
【手続補正８】
【補正対象書類名】明細書
【補正対象項目名】００１１
【補正方法】変更
【補正の内容】
【００１１】
また、この発明にかかる携帯用コンピュータプログラムは、自装置を扱うユーザの動作状態を検知する検知部を備えた携帯用コンピュータ装置を、表示画面上に、ユーザの視点を中心とした３次元仮想空間を表示させるとともに、当該３次元仮想空間内に、複数の選択候補からなる少なくとも一以上の入力一覧を表示させる表示制御手段、前記検知部によって検知されたユーザの動作状態に応じて、前記入力一覧上の一の前記選択候補を照準する照準手段、ユーザの操作に基づいて、前記照準手段によって照準されている前記選択候補を入力情報として確定させる制御手段、として機能させることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００２０
【補正方法】変更
【補正の内容】
【００２０】
（実施の形態）
以下に添付図面を参照して、この発明にかかる、携帯用コンピュータ装置および携帯用コンピュータプログラムの好適な実施の形態を詳細に説明する。
【手続補正１７】
【補正対象書類名】明細書
【補正対象項目名】０１１８
【補正方法】変更
【補正の内容】
【０１１８】
なお、本実施の形態においては、デジタルカメラ１００を用いて本発明の携帯用コンピュータ装置を実現したが、これに限られるものではなく、被写体を撮影する機能を備えた携帯電話装置や、ＰＤＡなどを用いることも可能である。
【手続補正１８】
【補正対象書類名】明細書
【補正対象項目名】０１１９
【補正方法】変更
【補正の内容】
【０１１９】
以上説明したように、本発明にかかる、携帯用コンピュータ装置および携帯用コンピュータプログラムによれば、迅速且つ的確なユーザ入力を可能にすることができる。
【手続補正１９】
【補正対象書類名】明細書
【補正対象項目名】０１２０
【補正方法】変更
【補正の内容】
【０１２０】
以上のように、本発明にかかる、携帯用コンピュータ装置および携帯用コンピュータプログラムは、表示画面上に表示された文字などの選択対象物に対して、ユーザからの入力を受け付けるものに適している。